(57)【要約】      （修正有）【課題】車椅子のフットサポート面を広くし且つ利用者の障害度合に応じ高さや前後の傾きを調節可能にする。【解決手段】車椅子のシート前方に設けられたフットサポート１９に対し、サポート面を調整するためのアタッチメント３０を着脱可能に設けた車椅子のフットサポート用アタッチメントであって、アタッチメントとして前端側がフットサポートに支持され後端側が車体フレーム１側に支持されるサポートテーブル３１と、サポートテーブルの後端側を車体フレーム側に支持する支持フレーム３２とを備え、支持フレームに対するサポートテーブルの位置移動を規制する位置決め部を設けている。また、サポートテーブルの後方の支持高さを調節する高さ調節部を支持フレーム側に設け、シートに着座した車椅子の利用者の足をシートの前端の直前下方位置でサポートできるようにサポートテーブルの後端を少なくともシート前端の直前下方位置まで後方に延出させている。【選択図】図２
2016171833.tif 000002
【特許請求の範囲】
【請求項１】
車椅子のシート（１２）前方に設けられたフットサポート（１９）に対し、サポート面を調整するためのアタッチメント（３０）を着脱可能に設けた車椅子のフットサポート用アタッチメントであって、アタッチメント（３０）として前端側がフットサポート（１９）に支持され後端側が車体フレーム（１）側に支持されるサポートテーブル（３１）と、該サポートテーブル（３１）の後端側を車体フレーム（１）側に支持する支持フレーム（３２）とを備え、該支持フレーム（３２）に対するサポートテーブル（３１）の位置移動を規制する位置決め部を設けた車椅子のフットサポート用アタッチメント。
【請求項２】
利用者の下肢の障害度合に対応してサポートテーブル（３１）の後方の支持高さを調節する高さ調節部を支持フレーム（３２）側に設けてなる請求項１に記載の車椅子のフットサポート用アタッチメント。
【請求項３】
シート（１２）に着座した車椅子の利用者の足をシート（１２）の前端の直前下方位置でサポートできるようにサポートテーブル（３１）の後端を少なくともシート（１２）前端の直前下方位置まで後方に延出させてなる請求項１又は２のいずれかに記載の車椅子のフットサポート用アタッチメント。
【請求項４】
支持フレーム（３２）が車体フレーム（１）側に吊下げ状態で支持される上下方向の吊下げ杆（３３）と、該吊下げ杆（３３）に取付けられサポートテーブル（３１）の後端側を位置決め状態で支持する左右方向の支持杆（３４）とを備えてなる請求項１〜３のいずれかに記載の車椅子のフットサポート用アタッチメント。
【請求項５】
支持フレーム（３２）の上端側に支持フレーム（３２）を車体フレーム（１）側に係止して吊下げ支持するフック（３８），（４７）を設けた請求項１〜４のいずれかに記載の車椅子のフットサポート用アタッチメント。
【請求項６】
吊下げ杆（３３）の上端側に吊下げ杆（３３）を車体フレーム（１）側に取付けるための取付孔（３９）を上下に複数個又は上下方向の長孔に形成して設け、該取付孔（３９）による上下の取付位置の変更により吊下げ杆（３３）の取付高さを調節する高さ調節部とした請求項４，５のいずれかに記載の車椅子のフットサポート用アタッチメント。
【請求項７】
車体フレーム（１）の左右のサイドフレーム（１ａ），（１ｂ）の間を折畳み可能に連結し、中央でＸ字状に交差してその交差部を回動自在に軸支された一対の連結リンク（２）の上記交差部に対し、吊下げ杆（３３）の取付孔（３９）を軸支し又は取付孔（３９）に取付けたフック（３８）を係止して吊下げ杆（３３）を車体フレーム（１）側に吊下げ支持してなる請求項４〜６のいずれかに記載の車椅子のフットサポート用アタッチメント。
【請求項８】
支持フレーム（３２）が左右の吊下げ杆（３３）と該左右の吊下げ杆（３３）の上端に左右方向に固定して設けられる横杆（４２）とを備え、該横杆（４２）の両端に横杆（４２）を車体フレーム（１）の左右のサイドフレーム（１ａ），（１ｂ）に係止するフック（４７）を設けるとともに、左右方向の横杆（４２）の下端側に支持杆（３４）を設けてなる請求項１〜５のいずれかに記載の車椅子のフットサポート用アタッチメント。
【請求項９】
高さ調節部を、吊下げ杆（３３）の下端側に設けた上下複数段の支持杆（３４）のいずれかを選択して支持テーブル（３１）の後端支持位置を上下調節可能に構成した請求項４〜８のいずれかに記載の車椅子のフットサポート用アタッチメント。
【請求項１０】
支持杆（３４）を取付ける吊下げ杆（３３）の取付孔（４６）を吊下げ杆（３３）の下端側に上下複数個又は上下方向の長孔に形成して設け、支持杆（３４）の取付け高さを変更可能に構成して高さ調節部とした請求項４〜９のいずれかに記載の車椅子のフットサポート用アタッチメント。
【請求項１１】
サポートテーブル（３１）を左右に分割して形成し、利用者の下肢の障害度合に応じて左右のサポートテーブル（３１ａ），（３１ｂ）の後端の高さを段違いに支持した請求項２〜１０のいずれかに記載の車椅子のフットサポート用アタッチメント。
【発明の詳細な説明】
【技術分野】
【０００１】
この発明は要介護者や身体障害者等の利用者の下肢の障害度合に応じてフットサポート面の高さや広さ前後方向の傾きを調節する車椅子のフットサポート用アタッチメントに関する。
【背景技術】
【０００２】
一般に車椅子には、後述する図１に示すように利用者の足を載せるペダル状のフットレストが設けられている。しかし利用者の下肢の硬直化、麻痺、その他の障害や不自由度の度合によっては、フットサポート（フットレスト又はフットプレート）に確実且つ安定的に足を載せられないという問題があり、左右のフットレストのサポート面を単一平面にしてさらに広くするために特許文献１に示すように左右のフットレストに前方から差込むプレート状のアタッチメントが提案されている。
【先行技術文献】
【特許文献】
【０００３】
【特許文献１】登録実用新案第３１０８２４２号公報
【発明の概要】
【発明が解決しようとする課題】
【０００４】
上記特許文献に示すアタッチメントは、フットレスト前方から挿脱できるカバー状のプレートで、着脱が簡単で広い単一のサポート面が得られる点で、利用者にとっては効果的であるが、利用者によっては膝関節や足首関節の硬直化又は下肢の萎縮等により、サポート面の高さや傾きが着地する足に適合せず又は後向きに膝が屈曲して硬直化した利用者には後方向へのサポート面の広さが不足する等の問題がある。
【課題を解決するための手段】
【０００５】
この発明は上記のような課題を解決するために、第１に車椅子のシート１２前方に設けられたフットサポート１９に対し、サポート面を調整するためのアタッチメント３０を着脱可能に設けた車椅子のフットサポート用アタッチメントであって、アタッチメント３０として前端側がフットサポート１９に支持され後端側が車体フレーム１側に支持されるサポートテーブル３１と、該サポートテーブル３１の後端側を車体フレーム１側に支持する支持フレーム３２とを備え、該支持フレーム３２に対するサポートテーブル３１の位置移動を規制する位置決め部を設けたことを特徴としている。
【０００６】
第２に、利用者の下肢の障害度合に対応してサポートテーブル３１の後方の支持高さを調節する高さ調節部を支持フレーム３２側に設けてなることを特徴としている。
【０００７】
第３に、シート１２に着座した車椅子の利用者の足をシート１２の前端の直前下方位置でサポートできるようにサポートテーブル３１の後端を少なくともシート１２前端の直前下方位置まで後方に延出させてなることを特徴としている。
【０００８】
第４に、支持フレーム３２が車体フレーム１側に吊下げ状態で支持される上下方向の吊下げ杆３３と、該吊下げ杆３３に取付けられサポートテーブル３１の後端側を位置決め状態で支持する左右方向の支持杆３４とを備えてなることを特徴としている。
【０００９】
第５に、支持フレーム３２の上端側に支持フレーム３２を車体フレーム１側に係止して吊下げ支持するフック３８，４７を設けたことを特徴としている。
【００１０】
第６に、吊下げ杆３３の上端側に吊下げ杆３３を車体フレーム１側に取付けるための取付孔３９を上下に複数個又は上下方向の長孔に形成して設け、該取付孔３９による上下の取付位置の変更により吊下げ杆３３の取付高さを調節する高さ調節部としたことを特徴としている。
【００１１】
第７に、車体フレーム１の左右のサイドフレーム１ａ，１ｂの間を折畳み可能に連結し、中央でＸ字状に交差してその交差部を回動自在に軸支された一対の連結リンク２の上記交差部に対し、吊下げ杆３３の取付孔３９を軸支し又は取付孔３９に取付けたフック３８を係止して吊下げ杆３３を車体フレーム１側に吊下げ支持してなることを特徴としている。
【００１２】
第８に、支持フレーム３２が左右の吊下げ杆３３と該左右の吊下げ杆３３の上端に左右方向に固定して設けられる横杆４２とを備え、該横杆４２の両端に横杆４２を車体フレーム１の左右のサイドフレーム１ａ，１ｂに係止するフック４７を設けるとともに、左右方向の横杆４２の下端側に支持杆３４を設けてなることを特徴としている。
【００１３】
第９に、高さ調節部を、吊下げ杆３３の下端側に設けた上下複数段の支持杆３４のいずれかを選択して支持テーブル３１の後端支持位置を上下調節可能に構成したことを特徴としている。
【００１４】
第１０に、支持杆３４を取付ける吊下げ杆３３の取付孔４６を吊下げ杆３３の下端側に上下複数個又は上下方向の長孔に形成して設け、支持杆３４の取付け高さを変更可能に構成して高さ調節部としたことを特徴としている。
【００１５】
第１１に、サポートテーブル３１を左右に分割して形成し、利用者の下肢の障害度合に応じて左右のサポートテーブル３１ａ，３１ｂの後端の高さを段違いに支持したことを特徴としている。
【発明の効果】
【００１６】
以上のように構成される本発明のアタッチメントは次に述べる効果を奏する。
（１）支持テーブルの前端側をフットサポートにより、後端側を支持フレームによってそれぞれ支持するので、全体をフットサポート側に支持させる従来のアタッチメントに比して、後端側へのサポート面を大きく取ることができるほか、支持機構に多くのバリエーションをもたせることができ、利用者の足に対するアシスト方法も複数種類に変更できる。
また、サポートテーブル後端側の支持高さを調節する調節部を設けたことにより、膝関節や足首の硬直化や萎縮によりフットレストに対するかかと高さや足の傾きがフットサポート面に適合しない場合でも対応できる利点がある。
【００１７】
（２）特にサポートテーブルの後端をシート前端の直下まで後方に延出させることにより、利用者のフットサポートの範囲を後方まで広げることができ、利用者の足のサポートの選択範囲が広がる。
【００１８】
（３）支持フレームの上下方向の吊下げ杆に対して左右方向に支持される支持杆によって支持されるので、サポートテーブルの後端は該支持杆に沿って左右方向の水平を保って安定的に支持される。
また支持フレームの上端側に吊下げ用のフックが設けられているので、車体フレームの構造に対応して吊下げ可能位置で支持フレームを吊下げ支持できる。
【００１９】
（４）支持フレームが一本の吊下げ杆を備え、その吊下げ杆の上端にフックを設けたことにより左右のサイドフレームを折畳み開閉する構造の車椅子のＸ字状に交差する折畳みリンクの交点にフックを掛止することができる。またこれを着脱自在として、吊下げ杆に上下複数の取付孔又は上下の長孔を設けて高さ調節部とすることにより、簡単な機構でサポートテーブルの高さ調節ができる。
【００２０】
（５）支持フレーム上端の横杆両端に設けたフックを車体フレームのサイドフレームに係止することにより、支持フレーム及びこれによるサポートテーブルを安定的に支持できる。
支持フレームの下端側に複数段の支持杆を設け、又はその上下高さを調節できるようにすることにより、サポートテーブルの後端高さの調節ができるほか、サポートテーブルを左右に分割形成することにより、左右のサポートテーブルの傾斜を段違いにセットすることができる。
【図面の簡単な説明】
【００２１】
【図１】一般的な車椅子の構造を示す全体斜視図である。
【図２】本発明の第１実施例であるアタッチメントの車椅子への取付例を示す全体斜視図である。
【図３】同じく第１実施例のアタッチメントの拡大全体斜視図である。
【図４】本発明の第２実施例であるアタッチメントの車椅子への取付例を示す全体斜視図である。
【図５】同じく第２実施例のアタッチメントの拡大全体斜視図である。
【発明を実施するための形態】
【００２２】
以下図示する本発明の実施形態について説明すると、図１は本発明のアタッチメントの利用が可能な一般的な車椅子の基本形態を示す全体斜視図である。
この例では車体フレーム１は、全体が金属パイプ製であり、左右のサイドフレーム１ａ，１ｂが両者の中間でＸ字状に交差して互に回動し合うように軸支された折畳みリンク２によって連結されている。上記折畳みリンク２をＸ字状の交差部の支点軸３で回動させることにより、左右のサイドフレーム１ａ，１ｂは内向きに寄せられて折畳まれ、外向きに押し開くことによって利用者が搭乗可能な状態に展開される。
【００２３】
左右のサイドフレーム１ａ，１ｂは基本構成が左右対称に形成されており、側面視で四角形の枠体を備え、リヤポスト４に駆動輪６が、フロントポスト７にキャスター８がそれぞれ軸支されている。上記四角形の枠体の上辺９に沿って肘当て１０が設けられ、中間の前後方向の中梁１１には布状のシート１２が張られており、リヤポスト４の上方に延出したグリップ１３付のハンドル杆１４には布状の背もたれ（バックサポート）１５が張設されている。１６は前後のポスト７，４間に張設されたサイドシートである。
【００２４】
上記中梁１１の前方延出端は斜め下向きに折り曲げられてフットフレーム１７を形成し、その下端は前方に向って折り曲げられ、内向きのステー１８を介してプレート状のフットサポート１９がそれぞれ付設されている。また四角形の枠体の下辺２２には、駆動輪６を制動するブレーキレバー２１の下端が前後回動自在に取付けられており、下辺２２の前方突出端は上記フットフレーム１７に接続固定されている。
【００２５】
図２，図３は本発明の第１実施例であるアタッチメント３０の前記車椅子への取付状態及び全体構造を示す斜視図で、アタッチメント３０自体は前端がフットサポート１９上に載置されてその上面を覆い、後端側が車体フレーム１に吊下げ保持される平面視Ｔ字形又は羽子板状の板材よりなるサポートテーブル３１と、該サポートテーブル３１の後端を位置決めしながら車体フレーム１の折畳みリンク２の回動支点部に係止して吊下げる支持フレーム３２とを備えている。
【００２６】
この例では、支持フレーム３２は、上下方向の一本の棒状の吊下げ杆３３の下端に左右方向にクロスさせて（逆Ｔ字状に）支持杆３４が固定的に又はボルト締め等により着脱自在に取付けられており、サポートテーブル３１の後端が支持杆３４に沿って支持される。ここで支持杆３４の中央には係止ピン３６が上向きに突設され、これに対応してサポートテーブル３１の後端中央には上記係止ピン３６に係止される係止孔３７が穿設されており、その係止ピン３６を係止孔３７の係合（位置決め部）によりサポートテーブル３１の後端は支持杆３４に沿って位置決め状態で支持される。
【００２７】
上記支持杆３４は図３に示すように上下に複数段設けることにより、いずれかの支持杆３４を選択してサポートテーブル３１を支持させることができ、この方法によりサポートテーブル３１の後端高さを調節することができ、後端の高さ調節はサポートテーブル３１の前方に向う傾斜角度の調節でもあり、利用者の下肢の障害状態に応じた前後方向での上下角度の調節が可能となる。
【００２８】
また本実施例では吊下げ杆３３の上端背面に設けた吊下げ用のフック３８を、車体フレーム１の折畳みリンク２の交点部に係止することにより吊下げ支持されるが、この吊下げ用フック３８の取付孔（差込孔）３９を、吊下げ杆３３の上端側に上下複数個設け、いずれの取付孔３９を選択するかによって、サポートテーブル３１の後端高さを選択調整することも可能である。４０は上記フック３８を取付孔３９に通してねじ止めするための蝶ねじである。この例では前記複数段の支持杆３４を設けることと、フック取付孔３９を設けることがサポートテーブル３１の後方の支持高さを調節する調節部となる。
【００２９】
上記の他、前述した折畳みリンク２の回動支点軸３を長寸のボルトとナット（図示しない）で構成し、この支点軸３を吊下げ杆３３の取付孔３９に挿通して締着することにより、吊下げ杆３３（支持フレーム３２）を吊下げ支持することも可能であり、この場合も複数段の取付孔３９のいずれかを選択することにより支持フレーム３２、即ちサポートテーブル３１の後端の高さ調節ができる。
【００３０】
他方、サポートテーブル３１の前端側は羽子板状に左右に広がっており、その広がり部分が左右のフットサポート１９上に被さって上面全体が拡大された単一平面からなるサポート面となる。そして幅広部分の先端部と両側端には、裏面に向って折り曲げ形成される折返し部４１が形成され、この折返し部４１がフットサポート１９又はその取付部材等の周縁に当接することによりサポートテーブル３１の先端側の左右動を規制する位置決め部となる。
【００３１】
図４，図５は本発明のアタッチメントの第２実施例を示し、この例ではサポートテーブル３１と支持フレーム３２が次のように構成される。尚、この例で用いる符号で図１〜図３の符号と同一符号のものは上記実施例のものと同一機能の部材を表し、適用される車椅子は前記実施例のものと同一機構のものが用いられているが、いずれの場合も図示する例の車椅子の種類や機構に適用対象が限定されるものではない。
【００３２】
この実施例の支持フレーム３２は左右の２本の吊下げ杆３３の上端に左右方向に横杆４２を固定的に設けており、左右の吊下げ杆３３の下端側には左右方向の支持杆３４が１本又は複数本上下段階状に架設される。そして支持杆３４は蝶ねじ４３，取付ビス４４等により着脱可能に締着固定される。また支持杆３４は図５にしめすように、予め複数段取付けても良いが、サポートテーブル３１が左右同一高さの場合は複数段設けられた吊り下げ杆３３側の取付孔４６のいずれかを選択して支持杆３４の取付け高さを調節することにより、サポートテーブル３１の後端高さ（傾斜角度）を調節してもよい。
【００３３】
そしてこの支持フレーム３２では前記横杆４２の左右両端に下向きのフック４７が付設され、このフック４７がシート１２の両端を支持する車体フレーム１ａ，１ｂの中梁１１の前端部に係止されて、支持フレーム３２全体を吊下げ支持する。
【００３４】
さらにこの例ではサポートテーブル３１が平面視で左右対称形に分割形成されており、図４に示すように単一の支持杆３４上で左右を同一高さに支持することもできるほか、図５に示すように左テーブル３１ａと右テーブル３１ｂの後端を、高さの異なる支持杆３４にそれぞれ係止し、左右でテーブル高さを異にする（テーブルの傾斜各を異にする）ことにより、利用者の障害状態に応じて対応することができる。
【００３５】
上記左右のテーブル３１ａ，３１ｂの先端部とその外側端のコーナー縁下向きに折り曲げ形成して折返し部４１が形成され、さらに内側端の大半の部分にも同様の折返し部４８が形成され、図５に示すように左右を段違い状にした時の相互の移動規制部や利用者の使用時の保護カバー部となる。上記折返し部４１は既述のように左右のサポートテーブル３１ａ，３１ｂをフットサポート１９上に被せた時に、上記折返し部４１がフットサポート１９の外周又はその外側の取付部等に当接し、サポートテーブル３１ａ，３１ｂの移動を規制する位置決め部となる。
【００３６】
また上記各サポートテーブル３１，３１ｂの後端にも下向きの折返し部４９が形成されており、サポートテーブル３１ａ，３１ｂの支持状態で支持杆３４に係止され、サポートテーブル３１，３１ｂの前方移動を規制する位置決め部となっている。さらに各テーブル３１，３１ｂの後端外側コーナーには、左右の吊下げ杆３３に係合する切欠き５１が形成され、この部分もサポートテーブル３１，３１ｂの後端の外側への移動及び後方への移動を規制する位置決め部となっている。
【００３７】
なお、図２，図３に示す第１実施例では、単一のサポートテーブル３１のみを示したが、これを第２実施例のように左右に分割したものを用いることが可能である。この場合、分割された左右のサポートテーブル３１を各支持杆３４に位置決め係止できるように、係止ピン３６を左右に振分けて２本設置するとともに、これに対応し左右のサポートテーブル３１，３１ｂの後端の対応位置に係止ピン３６を挿通して係止する係止孔（図示しない）を穿設しておくこと又は図５に示すようにサポートテーブル３１の後端に位置決め部となる折返し部４９を設けることが望ましい。この場合も支持杆３４を複数段設けておくことで図５に示す場合と同様に左右段違いのサポートテーブルに組付けることができる。
【００３８】
また図２〜図５に示すフック取付孔２９又は支持杆３４の取付孔４９は、上下複数個設けて取付高さを調節しているが、これらの孔２９，４９を上下方向の長孔にしてフック３８又は支持杆３４の取付高さを上記長孔の範囲内で上下調節して締着固定してもよい。
【符号の説明】
【００３９】
１    車体フレーム
１ａ，１ｂ    サイドフレーム
２    折畳みリンク
３    支点軸
１１  中梁
１２  シート
１９  フットサポート
３０  アタッチメント
３１  サポートテーブル
３１ａ，３１ｂ    左右のサポートテーブル
３２  支持フレーム
３３  吊下げ杆
３４  支持杆
３６  係止ピン
３７  係止孔
３８  フック
３９  フックの取付孔（高さ調節部）
４１  折返し部（位置決め部）
４２  横杆
４６  支持杆の取付孔（高さ調節部）
４７  フック
４９  折返し部（位置決め部）
５１  切欠き（位置決め部）
【図１】
2016171833.tif 000003
【図２】
2016171833.tif 000004
【図３】
2016171833.tif 000005
【図４】
2016171833.tif 000006
【図５】
2016171833.tif 000007